(57)【要約】      （修正有）【課題】長期の寿命を有する太陽電池モジュール浮遊支持構造体を提供する。【解決手段】本考案の太陽電池モジュール浮遊支持構造体は、浮体１と、浮体１に一体的に形成され、接続アセンブリに接続される第１支持板２と、を備え、第１支持板２は、浮体１の上面に滑らかに接続された上面と、浮体１の下面に滑らかに接続された下面と、を有する。使用時には、接続アセンブリが第１支持板２上に設置され、太陽電池モジュールが接続アセンブリに設置される。第１支持板２が浮体１に一体に形成されており、第１支持板２に接続アセンブリが接続されることで、応力集中が回避され、太陽電池モジュール浮遊支持構造体と接続アセンブリとの接続強度が向上し、太陽電池モジュールの発電の安全性が確保され、太陽電池モジュール浮遊支持構造体の寿命が効果的に延長される。【選択図】図１
0003215376.tif 000002
【実用新案登録請求の範囲】
【請求項１】
浮体（１）と、前記浮体（１）に一体に形成され、接続アセンブリに接続されるように構成された第１支持板（２）と、を備え、
前記第１支持板（２）は、前記浮体（１）の上面に滑らかに接続された上面と、前記浮体（１）の下面に滑らかに接続された下面と、を有する太陽電池モジュール浮遊支持構造体。
【請求項２】
前記浮体（１）と一体に形成され、前記接続アセンブリに接続されるように構成された第２支持板（８）をさらに備え、
前記第２支持板（８）と前記浮体（１）の上面とによって内側支持溝が形成されている請求項１に記載の太陽電池モジュール浮遊支持構造体。
【請求項３】
前記第１支持板（２）及び／又は前記第２支持板（８）は、中実構造である請求項２に記載の太陽電池モジュール浮遊支持構造体。
【請求項４】
前記第１支持板（２）の上面には、第１接続位置決め孔（５）、及び前記第１接続位置決め孔（５）に接続された第１排水溝（６）が設けられ、
及び／又は、
前記第２支持板（８）の上面には、第２接続位置決め孔と、前記第２接続位置決め孔に接続された第２排水溝が設けられている請求項２又は３に記載の太陽電池モジュール浮遊支持構造体。
【請求項５】
前記第１支持板（２）は、前記浮体（１）の側面に配置され、
複数の前記第１支持板（２）が設けられており、複数の前記第１支持板（２）は、前記浮体（１）の中心線に沿って前記浮体（１）の両側面に対称的に配置されている請求項１〜４の何れか一項に記載の太陽電池モジュール浮遊支持構造体。
【請求項６】
前記浮体（１）の上面には、前記第１支持板（２）と前記第２支持板（８）とを連結するように構成された傾斜支持溝（７）が設けられている請求項２〜４の何れか一項に記載の太陽電池モジュール浮遊支持構造体。
【請求項７】
前記浮体（１）には、冷却孔（４）が設けられ、
前記冷却孔（４）の一端は前記浮体（１）の上面に接続され、前記冷却孔（４）の他端は前記浮体（１）の下面に接続されている請求項１〜６の何れか一項に記載の太陽電池モジュール浮遊支持構造体。
【請求項８】
前記冷却孔（４）を形成している前記浮体（１）の側面には、内側側壁補強リブ（１５）が設けられ、複数の前記内側側壁補強リブ（１５）が設けられ、複数の前記内側側壁補強リブ（１５）は、前記冷却孔（４）の周方向に等間隔で配置されている請求項７に記載の太陽電池モジュール浮遊支持構造体。
【請求項９】
前記浮体（１）の上面には、横方向補強リブ（１２）、及び前記横方向補強リブ（１２）に垂直に配置された縦方向補強リブ（１３）が設けられ、
前記横方向補強リブ（１２）は、前記縦方向補強リブ（１３）に接続され、
前記浮体（１）の側面には、外側側壁補強リブ（１４）が設けられ、
前記浮体（１）の下面には、底部補強リブ（１８）が設けられている請求項１〜８の何れか一項に記載の太陽電池モジュール浮遊支持構造体。
【請求項１０】
前記横方向補強リブ（１２）、前記縦方向補強リブ（１３）、及び前記底部補強リブ（１８）のそれぞれは、前記浮体（１）のそれぞれの表面から内側に凹んでいる請求項９に記載の太陽電池モジュール浮遊支持構造体。
【請求項１１】
前記浮体（１）の上面は、前記浮体（１）の上面の中央に向かって凹んだ円弧状補強面（１６）、及び前記円弧状補強面（１６）の周囲を取り囲む平坦面（１７）を有し、
前記平坦面（１７）は、前記円弧状補強面（１６）の側部に滑らかに接続されている請求項１〜１０の何れか一項に記載の太陽電池モジュール浮遊支持構造体。
【請求項１２】
接続ラグ（３）をさらに含み、
前記第１支持板（２）と前記接続ラグ（３）とは一体的に形成され、
前記接続ラグ（３）の取り付け面は、前記第１支持板（２）の取り付け面と同一平面上にある請求項１〜１１の何れか一項に記載の太陽電池モジュール浮遊支持構造体。
【請求項１３】
前記浮体（１）の上面には、前記浮体（１）の両端から前記浮体の中央に向かって内側に凹んだ第１排水路（１１０）と、前記第１排水路（１１０）の最下部の両側にそれぞれ配置された２つの第２排水路（１１１）と、が設けられ、
各前記第２排水路（１１１）は、前記第１排水路（１１０）に接続する一端、及び前記浮体（１）の外周に延びて排水口を形成する他端を有する請求項１〜１２の何れか一項に記載の太陽電池モジュール浮遊支持構造体。
【請求項１４】
前記浮体（１）の下面には、補強支持部材（１１２）が設けられ、
前記補強支持部材（１１２）は、前記浮体（１）と一体的に形成されており、
前記補強支持部材（１１２）は、前記浮体（１）の上面に接続された端部と、前記浮体（１）の下面に接続された端部と、を有している請求項１〜１３の何れか一項に記載の太陽電池モジュール浮遊支持構造体。
【請求項１５】
前記補強支持部材（１１２）は、前記浮体（１）の中央に位置し、
前記浮体（１）の下面には、前記補強支持部材（１１２）を取り囲む底部支持片（１１３）が設けられ、
前記底部支持片（１１３）は、前記浮体（１）と一体的に形成されている請求項１４に記載の太陽電池モジュール浮遊支持構造体。
【考案の詳細な説明】
【技術分野】
【０００１】
本出願は、２０１７年７月１８日に中国国家知的所有権庁に提出された「太陽電池モジュール浮遊支援構造体」と題された中国特許出願第２０１７２０８７３６５１．０号、及び２０１７年９月２９日に中国国家知的所有権局に提出された「太陽電池モジュール浮遊支持構造体」と題された中国特許出願第２０１７２１２７５４４６．０号の優先権の利益を主張するものであり、当該両方の出願の全開示は、参照により本明細書に組み込まれる。
【０００２】
本考案は、水上の太陽電池デバイス（光起電力装置）の技術分野に関し、特に太陽電池モジュール浮遊支持構造体に関する。
【背景技術】
【０００３】
土地資源を節約し、水面の高い反射率および低温特性を十分に利用して発電率を高めるために、水上浮遊発電所が設置されている。水上浮遊発電所は、太陽電池モジュール浮遊支持構造体と、太陽電池モジュール浮遊支持構造体に接続アセンブリによって接続された太陽電池モジュールと、を含む。
【０００４】
従来の太陽電池モジュール浮遊支持構造体は、浮体（フローティングボディ）と、浮体の上面に配置されたＴ字状接続柱基部と、を備えている。接続アセンブリの直立柱は、Ｔ字状接続柱基部にクランプされて浮体に固定される。Ｔ字状接続柱基部は、一端が浮体と一体化され、他端が直立柱と係合している。太陽電池モジュール浮遊支持構造体を製造するには、まず、射出成形によりＴ字状接続スロットを形成し、その後、Ｔ字状接続スロットをブロー成形によって浮体に予め埋め込む必要があり、それにより浮体と一体的に形成されたＴ字状接続スロットが形成される。
【考案の概要】
【考案が解決しようとする課題】
【０００５】
しかしながら、浮体のＴ字状接続柱基部は耐荷重性において弱点であり、Ｔ字状接続スロットの根元に長期間応力が集中している。経年劣化や樹脂材料の劣化に伴い、応力集中がますます深刻化している。Ｔ字状接続スロットの根元は壊れやすく、その結果、太陽電池モジュール浮遊支持構造体の寿命が短くなる。
【０００６】
したがって、当業者によって緊急に取り組まなければならない技術的問題は、太陽電池モジュール浮遊支持構造体の寿命を延ばすことである。
【０００７】
本願の目的は、長期の寿命を有する太陽電池モジュール浮遊支持構造体を提供することである。
【課題を解決するための手段】
【０００８】
上記目的を達成するために、本考案に係る太陽電池モジュール浮支持構造体は、浮体と、浮体と一体的に形成され、接続アセンブリに接続されるように構成された第１支持板と、を備える。第１支持板は、浮体の上面に滑らかに接続された上面と、浮体の下面に滑らかに接続された下面と、を有する。
【０００９】
好ましくは、太陽電池モジュール浮支持構造体は、浮体と一体に形成され、接続アセンブリに接続されるように構成された第２支持板をさらに備える。第２支持板と浮体の上面とによって内側支持溝が画定（形成）される。
【００１０】
好ましくは、第１支持板及び／又は第２支持板は、中実構造（ソリッド構造）である。
【００１１】
好ましくは、第１支持板の上面には、第１接続位置決め孔、及び第１接続位置決め孔に接続される第１排水溝が設けられ、
及び／又は、
第２支持板の上面には、第２接続位置決め孔、及び第２接続位置決め孔に接続される第２排水溝が設けられている。
【００１２】
好ましくは、第１支持板は、浮体の側面に配置され、複数の第１支持板が設けられ、複数の第１支持板は、浮体の中心線に沿って浮体の両側に対称的に配置されている。
【００１３】
好ましくは、浮体の上面には、第１支持板と第２支持板とを連結するように構成された傾斜支持溝が設けられている。
【００１４】
好ましくは、浮体には冷却孔が設けられ、冷却孔の一端は浮体の上面に接続され、冷却孔の他端は浮体の下面に接続されている。
【００１５】
好ましくは、冷却孔を形成（画成）している浮体の側面には、内側側壁補強リブが設けられ、複数の内側側壁補強リブが設けられ、複数の内側側壁補強リブは、冷却孔の周方向に等間隔で配置されている。
【００１６】
好ましくは、浮体の上面には、横方向補強リブ、及び横方向補強リブに垂直に配置された縦方向補強リブが設けられ、横方向補強リブは縦方向補強リブに接続され、浮体の側面には外側側壁補強リブが設けられ、浮体の下面には底部補強リブが設けられている。
【００１７】
好ましくは、横方向補強リブ、縦方向補強リブ、及び底部補強リブのそれぞれは、浮体のそれぞれの表面から内側に凹んでいる。
【００１８】
浮体の上面は、浮体の上面の中央に向かって凹んだ円弧状補強面、及び円弧状補強面の周囲を取り囲む平坦面を有し、平坦面は円弧状補強面の側部に滑らかに接続されている。
【００１９】
好ましくは、太陽電池モジュール浮遊支持構造は、接続ラグをさらに備える。第１支持板と接続ラグとは一体的に形成され、接続ラグの取り付け面は、第１支持板の取り付け面と同一平面上にある。
【００２０】
好ましくは、浮体の上面には、浮体の両端から浮体の中央に向かって内側に凹んだ第１排水路と、第１排水路の最下部の両側にそれぞれ配置された２つの第２排水路と、が設けられている。各第２排水路は、第１排水路に接続する一端、及び浮体の外周に延びて排水口を形成する他端を有する。
【００２１】
好ましくは、浮体の下面には補強支持部材が設けられ、補強支持部材は浮体と一体的に形成されており、補強支持部材は、浮体の上面に接続された端部（一端）及び浮体の下面に接続された端部（他端）を有する。
【００２２】
好ましくは、補強支持部材は、浮体の中央に位置し、浮体の下面には、補強支持部材を取り囲む底部支持片（底部支持ストリップ）が設けられ、底部支持片は、浮体と一体的に形成されている。
【００２３】
上記課題を解決するために、本考案の太陽電池モジュール浮遊支持構造体は、浮体と、浮体に一体的に形成され接続アセンブリに接続されるように構成された第１支持板と、を備える。第１支持板は、浮体の上面に滑らかに連結された上面、及び浮体の下面に滑らかに連結された下面を有する。使用時において、接続アセンブリは第１支持板上に設置され、太陽電池モジュールは接続アセンブリ上に設置される。
【考案の効果】
【００２４】
上記の説明によれば、本願の太陽電池モジュール浮遊支持構造体では、第１支持板が浮体と一体に形成され、接続アセンブリが第１支持板に接続されているため、応力集中が回避され、太陽電池モジュール浮遊支持構造体と接続アセンブリとの接続強度が向上し、太陽電池モジュールの発電安全性が確保され、太陽電池モジュール浮遊支持構造体の寿命が効果的に延長される。
【図面の簡単な説明】
【００２５】
以下、本考案の実施形態、又は従来技術における技術的解決策をより明確に説明するために、実施形態又は従来技術を説明するための図面を簡単に説明する。明らかに、以下の説明における図面は、本考案の一例に過ぎず、当業者にとっては、創造的な努力なしに、提供される図面に基づいて他の図面を得ることができる。
【図１】本考案の一実施形態による第１タイプの太陽電池モジュール浮遊支持構造体の構造を示す概略図である。
【図２】図１の太陽電池モジュール浮遊支持構造体と接続アセンブリとの間の接続構造を示す概略図である。
【図３】図２の太陽電池モジュール浮遊支持構造体と接続アセンブリとの間の接続構造を示す部分拡大図である。
【図４】図１の太陽電池モジュール浮遊支持構造体と太陽電池モジュールの取り付け位置を示す概略図である。
【図５】図１の太陽電池モジュール浮遊支持構造体の取り付け位置を示す概略図である。
【図６】本考案の一実施形態に係る第２タイプの太陽電池モジュール浮遊支持構造体の構造を示す概略図である。
【図７】本考案の一実施形態に係る第３タイプの太陽電池モジュール浮遊支持構造体の構造を示す概略図である。
【図８】図７の太陽電池モジュール浮遊支持構造体の側面図である。
【図９】本考案の一実施形態に係る第４タイプの太陽電池モジュール浮遊支持構造体の構造を示す概略図である。
【図１０】図９の太陽電池モジュール浮遊支持構造体の側面図である。
【図１１】図９の太陽電池モジュール浮遊支持構造体の第１支持板の部分拡大図である。
【図１２】図１１の第１支持板の部分破断側面図である。
【図１３】図９の太陽電池モジュール浮遊支持構造体の取り付け位置を示す概略図である。
【図１４】図９の太陽電池モジュール浮遊支持構造体の接続ラグの部分拡大図である。
【図１５】図９の太陽電池モジュール浮遊支持構造体の底面図である。
【図１６】図９の太陽電池モジュール浮遊支持構造体と接続アセンブリとの間の接続構造を示す概略図である。
【図１７】図１６の接続アセンブリの位置の拡大図である。
【図１８】図１７の接続アセンブリの部分拡大図である。
【図１９】図９の太陽電池モジュール浮遊支持構造体と太陽電池モジュールの取り付け位置を示す概略図である。
【図２０】本考案の一実施形態に係る第５タイプの太陽電池モジュール浮遊支持構造体の構造を示す概略図である。
【図２１】図２０の太陽電池モジュール浮遊支持構造体と太陽電池モジュールの取り付け位置を示す概略図である。
【図２２】本考案の一実施形態に係る第６タイプの太陽電池モジュール浮遊支持構造体の構造を示す概略図である。
【図２３】図２２の太陽電池モジュール浮遊支持構造体の側面図である。
【図２４】図２２の太陽電池モジュール浮遊支持構造体の部分拡大図である。
【図２５】図２２の太陽電池モジュール浮遊支持構造体と接続アセンブリとの取り付け位置を示す概略図である。
【図２６】図２２の太陽電池モジュール浮遊支持構造体と太陽電池モジュールの取り付け位置を示す概略図である。
【図２７】本考案の一実施形態に係る第７タイプの太陽電池モジュール浮遊支持構造体の構造を示す概略図である。
【図２８】図２７の太陽電池モジュール浮遊支持構造の底面図である。
【図２９】図２７の太陽電池モジュール浮遊支持構造体と太陽電池モジュールの取り付け位置を示す概略図である。
【考案を実施するための形態】
【００２６】
本考案によれば、寿命が延長された太陽電池モジュール浮遊支持構造体が提供される。
【００２７】
当業者が本考案の技術的解決策をより良く理解できるように、本考案は、図面および実施形態を参照してさらに詳細に説明される。
【００２８】
図１〜図２９を参照すると、本実施形態に係る太陽電池モジュール浮遊支持構造体は、浮体１と、浮体１と一体に形成され、接続アセンブリに接続されるように構成された第１支持板２と、を備える。浮体１には送風口１１が設けられている。送風口１１は、浮体１の側面に配置されていることが好ましい。作業者による浮遊発電所の組み立てを容易にするために、第１支持板２と接続アセンブリとは、第１接続位置決め孔５に取り付けられたボルトによって接続されることが好ましい。第１支持板２の形成及びその接続強度の向上を容易にするために、第１支持板２は中実構造であることが好ましく、第１支持板２の上面は浮体１の上面に滑らかに接続され、第１支持板２の下面は浮体１の下面に滑らかに接続されている。太陽電池モジュール浮遊支持構造体の寿命を延ばすために、第１支持板２の上面および浮体１の上面は円弧状接続であり（円弧状に移行し）、第１支持板２の下面および浮体１の下面も円弧状接続である（円弧状に移行する）ことが好ましい。第１支持板２の形成を容易にするために、第１支持板２は、浮体１の側面に配置されることが好ましく、浮体１の側面には、第１支持板２を収容するためのＵ字溝が設けられ、第１支持板２の３つの側面が浮体１に接続されていることが好ましい。このように第１支持板２と浮体１との接合面積を大きくすることにより、応力集中をさらに回避して、太陽電池モジュール浮遊支持構造体の寿命を効果的に延ばすことができる。
【００２９】
接続ラグ（接続爪）３は、第１支持板２とは独立して配置されてもよい。接続ラグ３は、浮体１の両端の角部に設けられている。第１支持板２は浮体１の側面に配置され、複数の第１支持板２が設けられ、複数の第１支持板２は、浮体１の中心線に沿って浮体１の両側面（背向する両側面）に対称的に配置されている。一般に、浮体１は全体として直方体状であり、好ましくは、浮体１には４つの接続ラグ３が配置され、浮体１の側面には第１支持板２が設けられ、第１支持板２の数と位置は、実際の設置要件に従って設定される。図２に示すように、４つの第１支持板２が設けられても良く、この４つの第１支持板２は、浮体１の両側面に、各側面で２つの第１支持板２をもつように配置されている。
【００３０】
図１１及び図１２に示すように、作業者による接続アセンブリの取り付けを容易にするために、第１支持板２には、第１接続位置決め孔５が設けられることが好ましく、第１支持板２には複数の第１接続位置決め孔５が設けられてもよい。太陽電池モジュール浮遊支持構造体の長寿命化のためには、第１支持板２が浮体１の外側面に配置される場合、第１支持板２の浮体１から離れた側には片持ち補強リブ２１（片持ち支持された補強リブ）が設けられることが好ましい。また、第１支持板２の上面に水分が滞留するのを防止するために、第１支持板２の上面には、第１接続位置決め孔５に連通する排水溝６が設けられることが好ましく、排水溝６の数は実用要件に応じて決定される。排水溝６を設けることにより、第１支持板２上に溜まった水は、第１接続位置決め孔５と排水溝６を介してゆっくりと排出される。片持ち補強リブ２１は、長期間の応力によるクリープ変形に耐えられるように、第１支持板２の変形抵抗を高めることができる。
【００３１】
使用時において、接続アセンブリは第１支持板２上に設置され、太陽電池モジュール９３が接続アセンブリ上に設置される。支持脚部は、第１支持板２に固定される。浮体１の両側面にある第１支持板２は、それぞれ第１接続位置決め孔５を介したボルトセットによって、前側支持脚部９２と後側支持脚部９１とに確実に接続されている。前側支持脚部９２と後側支持脚部９１との間には、所定の高低差があり、これにより前後に角度が形成され、この角度は、発電を最大化するための太陽電池モジュール９３の要件に適合される。
【００３２】
前側支持脚部９２と後側支持脚部９１とが第１支持板２に接続された後、前側支持脚部９２はボルトセットにより横方向ガイドレール９４に接続され、後側支持脚部９１はボルトセットにより別の横方向ガイドレール９４に接続される。各横方向ガイドレール９４には、複数の押圧ブロック９６が設けられ、横方向ガイドレール９４と押圧ブロック９６との間には、上ゴム片および下ゴム片が設けられている。太陽電池モジュール９３は、上ゴム片と下ゴム片の間に挟持される。太陽電池モジュール９３と横方向ガイドレール９４、支持脚部（前側支持脚部９２と後側支持脚部９１）と浮体１は、ボルトセットにより一体構造を形成するように確実に接続される。熱膨張に起因する変形を浮体１が横方向ガイドレール９４、後側支持脚部９１、前側支持脚部９２、及び押圧ブロック９６に伝達するのを防止するために、２つの横方向ガイドレール９４の間または位置規制のための支持脚部の間に、タイロッド９５および接続対が設けられ、押圧ブロック９６のクランプ領域が不十分であることに起因する接続アセンブリの脱落の危険性を排除する。
【００３３】
太陽電池モジュール浮体支持構造体、浮遊歩道９９、コンバージェンスボックス及びストリングインバータ用の浮体９７、およびボルト−ナット接続対９８は、隣接して接続されている。浮遊正方形アレイの構成要素の確実な配置を達成し、浮遊正方形アレイのすべての部分の操作性および保守性を実現するために、太陽電池モジュール９３は、ブラケットアセンブリによって太陽電池モジュール浮遊支持構造体に設置される。
【００３４】
以上のことから、本考案の太陽電池モジュール浮遊支持構造体では、第１支持板２が浮体１と一体的に形成され、第１支持板２が中実構造であり、第１支持板２に第１接続位置決め孔５が設けられているため、応力集中が回避され、第１支持板２及び接続アセンブリの強度が向上し、第１接続位置決め孔５が破損しても補修が可能であり、太陽電池モジュールの発電安全性を確保することができ、太陽電池モジュール浮遊支持構造体の寿命を効果的に延長することができる。
【００３５】
また、太陽電池モジュール浮遊支持構造体は、浮体１と一体的に形成された第２支持板８をさらに備えている。第２支持板８には、作業者による接続アセンブリの取り付けを容易にするための第２接続位置決め孔が設けられている。第１接続位置決め孔５の数および第２接続位置決め孔の数は、実用要件に応じて決定することができる。接続強度を向上させるためには、複数の第１接続位置決め孔５と複数の第２接続位置決め孔を設けることが好ましい。第２支持板８の形成を容易にし、接続強度を向上させるために、第２支持板８は中実構造であることが好ましい。全体的な安定性を向上させるためには、好ましくは、第２支持板８と浮体１の上面とによって内側支持溝を形成し、接続アセンブリの端部の内側支持溝内に配置された傾斜支持部は、太陽電池モジュールの作用力を浮体１の内側支持溝に南北方向に伝達する。第１支持板２の上面には第１接続位置決め孔５に接続する第１排水溝６が設けられること、および／または、第２支持板８の上面には第２接続位置決め孔に接続する第２排水溝が設けられることが好ましく、これにより第１排水溝６及び第２排水溝を介して溜まった水を排出することができる。前側および後側支持部は、ボルトの形態の支持接続対によって接続される。浮体１は、複数の第１支持板２と、複数の第２支持板８と、を有する。第１支持板２は、太陽電池モジュール９３の垂直荷重を伝達するように構成され、第２支持板８は、太陽電池モジュール９３および接続アセンブリの横方向荷重を伝達するように構成され、風を受けた際の太陽電池モジュールの安定性を高める。
【００３６】
浮体１、第１支持板２および第２支持板８は一体的に形成されており、第１支持板２と第２支持板８と浮体１とはブロー成形により一体成形され、中実領域が形成される。
【００３７】
浮体１の上面には、第１支持板２と第２支持板８とを接続する傾斜支持溝７が設けられている。太陽電池モジュール浮遊支持構造体及び太陽電池モジュール９３は、前側支持脚９２、後側支持脚９１、横方向ガイドレール９４及び押圧ブロック９６によって確実に一体構造をなして固定されている。太陽電池モジュール浮遊支持構造体と太陽電池モジュール９３との間には所定の傾斜角が形成され、上記の一体構造体と他の仕様の浮体とは、接続ラグ３によって接合されて正方形のアレイを形成し、浮遊型太陽光発電アレイを形成する。傾斜支持溝７は、浮体１と接続アセンブリの前側支持体との間、並びに浮体１と接続アセンブリの傾斜支持体との間の力伝達を助けるように構成され、風にさらされた太陽電池アセンブリの横方向抵抗を高め、太陽電池アセンブリの南北方向の安定性を改善し、風力抵抗を改善する。第２支持板８と接続アセンブリの傾斜支持部とを設けることにより、浮体の位置決め部に長時間応力がかかることによるクリープ変形の可能性が低減される。
【００３８】
好ましくは、浮体１の上面には、上部補強リブ１９が設けられ、補強リブ１９の数は、実用要件に応じて決定される。好ましくは、補強リブ１９は、浮体１の長手方向に沿って延びており、複数の補強リブ１９が設けられている場合には、複数の補強リブ１９が等間隔で連続して配列される。補強リブ１９を設けることにより、太陽電池モジュール浮遊支持構造体が輸送用に積み重ねられた際に太陽電池モジュール浮遊支持構造体に均一に応力が加わり、太陽電池モジュール浮遊支持構造体が不均一な力で変形すること、および太陽電池モジュール浮遊支持構造体の輸送での積み込みが高すぎる際のそれによる破損を防止することができる。
【００３９】
上記の解決策に基づいて、好ましくは、図９および図１５に示すように、浮体１には冷却孔４が設けられ、冷却孔４の一端は浮体１の上面に接続され、冷却孔４の他端は浮体１の下面に接続される。すなわち、浮体１は、太陽電池モジュール９３を水面に連通させる通気冷却孔を有する。太陽電池モジュール９３の浮遊支持構造体は、送風口１１を通じた樹脂材料の中空ブロー成形により形成されている。浮体１は、中央に冷却孔４を有している。冷却孔４は、水面と太陽電池モジュール９３とを接続して熱伝達を可能とし、太陽電池モジュール９３の動作温度を低下させ、水面波の浮体１への反力を低減する機能を有する。
【００４０】
図６に示すように、浮体１の上面には、第１排水路１１０と第２排水路１１１が設けられている。第１排水路１１０は、浮体１の両端から浮体１の中央に向かって内側に凹んでいる。第２排水路１１１（２つ）は、第１排水路１１０の最下部の両側（対向する２辺）にそれぞれ配置されている。各第２排水路１１１は、一端が第１排水路１１０に接続され、他端が浮体１の外周に延びて排水口を形成している。雨水が浮体１の上面に落下すると、雨水は第１排水路１１０を通って第２排水路１１１に流れ、第２排水路１１１を介して排出される。これにより、浮体１に雨水が溜まることが回避され、太陽電池モジュール浮遊支持構造の寿命を効果的に延長することができる。
【００４１】
図７および図８に示すように、浮体１の下面には、補強支持部材１１２が設けられ、補強支持部材１１２は、浮体１と一体的に形成されている。補強支持部材１１２は、浮体１の上面に接続された端部、及び浮体１の下面に接続された端部を有している。具体的には、補強支持部材１１２は、浮体１の上面および下面に滑らかに移行する（接続されている）。好ましくは、補強支持部材１１２は中実構造であり、その断面積は上から下に向かって徐々に増加する。浮体１に補強支持部材１１２を配置することにより、太陽電池モジュール浮遊支持構造体の寿命がさらに延長される。
【００４２】
好ましくは、補強支持部材１１２は浮体１の中央に位置し、浮体１の下面には補強支持部材１１２を取り囲む底部支持片１１３が設けられ、底部支持片１１３は浮体１と一体的に形成されている。好ましくは、浮体１の下面は、外周から中央に向かって内側に凹んでおり、補強支持部材１１２の下端（底端）が浮体１の下面と面一になっている。好ましくは、底部支持片１１３は、互いに直交する横方向支持片及び縦方向支持片を含む。具体的に、横方向支持片および縦方向支持片の数は、実用要件に応じて決定することができ、本明細書に限定されない。底部支持片１１３を設けることにより、太陽電池モジュール浮遊支持構造の全体の強度がさらに増加し、太陽電池モジュール浮遊支持構造の寿命がさらに延長される。
【００４３】
複数の補強支持部材１１２が設けられてもよい。好ましくは、複数の補強支持部材１１２は、マトリックス状（格子状）に配置される。
【００４４】
また、冷却孔４を画成する浮体１の側面には、内側側壁補強リブ１５が設けられている。好ましくは、内側側壁補強リブ１５は横方向に配置され、複数の内側側壁補強リブ１５が設けられ、複数の内側側壁補強リブ１５は、冷却孔４の周方向に等間隔で配置されている。好ましくは、内側側壁補強リブ１５は水平に配置される。内側側壁補強リブ１５を設けることによって、浮体１の寿命は効果的に延長される。
【００４５】
また、図１〜図５に示すように、浮体１の上面には、横方向補強リブ１２と、横方向補強リブ１２と直交する縦方向補強リブ１３とが設けられている。横方向補強リブ１２は縦方向補強リブ１３に接続され、浮体１の側面には外側側壁補強リブ１４が設けられている。好ましくは、浮体１の下面には底部補強リブ１８が設けられている。浮体１は、複数の外側側壁補強リブ１４と、複数の横方向補強リブ１２と、複数の縦方向補強リブ１３と、複数の底部補強リブ１８とを有しており、それらの全ては浮体の表面から内側に窪んでいる。これにより、浮体１の表面の変形抵抗特性が向上し、浮体１の垂直方向の曲げ抵抗率が高まる。
【００４６】
接続ラグ３には、複数の逆回転防止孔３２が形成されており、各逆回転防止孔３２は、ボルトセットの自由回転を防止し、連結構造の緩みを防止するために、階段状の側壁を有している。好ましくは、複数の逆回転防止孔３２は、接続ラグ３の接続ラグ位置決め孔３１の周方向に沿って配置されている。
【００４７】
図１５に示すように、第１支持板２と接続ラグ３とが一体に形成され、接続ラグ３の取り付け面と第１支持板２の取り付け面とが同一面となり、太陽電池モジュール浮遊支持構造体の形成が容易になる。
【００４８】
浮体１は、全体として略矩形状の構造を有し、単純な構成であり、製造が容易であり、品質管理が容易である。浮体１の構成要素は単純であり、素早く取り付けることができる。
【００４９】
上記の解決策に基づいて、浮体１の上面は、浮体１の上面の中央に向かって凹んだ円弧状補強面１６と、円弧状補強面１６の周囲を取り囲む平坦面１７と、を含むことが好ましく、平坦面１７は円弧状補強面１６の側部に滑らかに接続されている。浮体１の上面は円弧状補強面１６を有しており、それが浮体１の上面の曲げ抵抗を向上させ、浮体１の上面の温度上昇による膨張を抑制する。この膨張は、位置決め寸法のずれを引き起こし得る。平坦面１７を設けることにより、積層状態の太陽電池モジュール浮遊支持構造体の輸送が容易になり、上方の太陽電池モジュール浮遊支持構造体の底部が、下方の太陽電池モジュール浮遊支持構造体の平坦面１７に対応し、輸送中の太陽電池モジュール浮遊支持構造体の不可逆的変形を防止して、輸送の安定性を向上させ、一緒に拘束された複数の太陽電池モジュール浮遊支持構造体の輸送を容易にする。
【００５０】
図２２〜図２９に示すように、浮体１は、複数の接続ラグ３および複数の第１支持板２を備えている。各第１支持板２は、接続アセンブリに接続された接続対を備えている。接続対は、対応する接続ラグ３に接続され、接続ラグ３を通過する。接続アセンブリの前方傾斜支持部および後方傾斜支持部は、ボルトセットによって第１接続位置決め孔５にそれぞれ接続され、確実に固定される。前後の傾斜支持部は、太陽電池モジュール９３に所定の角度で接続され、太陽電池モジュール９３の所定の圧入位置に直接接続される。このため、押圧ブロック９６と横方向ガイドレール９４とを別途設ける必要がない。前方傾斜支持部および後方傾斜支持部が連結された後、太陽電池モジュール９３が浮体１の上方に位置され、太陽電池モジュール９３と浮体１との間に所定の傾斜角が形成される。浮体１が太陽電池モジュール９３に接続された後、浮体１は接続ラグ３によって他の仕様の浮体に接続され、浮遊型太陽電池アレイを形成する。浮体１の底面には、設置を容易にするための第１接続位置決め孔５が設けられているので、ボルトを取り付ける工具を使用すると便利である。また、横方向ガイドレール９４を必要とせず、ブラケットのコストが低減され、浮体１の寸法が小さくなるため、太陽電池モジュール浮遊支持構造体のコストが低減される。
【００５１】
上記の実施形態は、漸進的に説明されている。各実施形態は、主に、他の実施形態との相違点を説明することに重点を置いており、これらの実施形態のうち、同一または類似の部分については、これらの実施形態の間で参照することができる。
【００５２】
開示された実施形態の上記説明に基づいて、当業者は本出願を実施することができ、または使用することができる。当業者であれば、これらの実施形態に多くの変更を加えることは明らかである。本明細書で定義される一般原則は、本考案の精神または範囲から逸脱することなく、他の実施形態に適用されてもよい。したがって、本考案は、本明細書に示されるこれらの実施形態に限定されず、本明細書に開示される原理および新規な特徴と一致する最も広い範囲によって定義されるべきである。
【符号の説明】
【００５３】
１…浮体、１１…送風口、１２…横方向補強リブ、１３…縦方向補強リブ、１４…外側側壁補強リブ、１５…内側側壁補強リブ、１６…円弧状補強面、１７…平坦面、１８…底部補強リブ、１９…上部補強リブ、１１０…第１排水路、１１１…第２排水路、１１２…補強支持部材、１１３…底部支持片、２…第１支持板、２１…片持ち補強リブ、３…接続ラグ、３１…接続ラグ位置決め孔、３２…逆回転防止孔、４…冷却孔、５…第１接続位置決め孔、６…第１排水溝、７…傾斜支持溝、８…第２支持板、９１…後方支持脚部、９２…前方支持脚部、９３…太陽電池モジュール、９４…横方向ガイドレール、９５…タイロッド、９６…押圧ブロック、９７…コンバージェンスボックスとストリングインバータ用の浮体、９８…ボルト−ナット接続対、９９…浮遊道。
【図１】
0003215376.tif 000003
【図２】
0003215376.tif 000004
【図３】
0003215376.tif 000005
【図４】
0003215376.tif 000006
【図５】
0003215376.tif 000007
【図６】
0003215376.tif 000008
【図７】
0003215376.tif 000009
【図８】
0003215376.tif 000010
【図９】
0003215376.tif 000011
【図１０】
0003215376.tif 000012
【図１１】
0003215376.tif 000013
【図１２】
0003215376.tif 000014
【図１３】
0003215376.tif 000015
【図１４】
0003215376.tif 000016
【図１５】
0003215376.tif 000017
【図１６】
0003215376.tif 000018
【図１７】
0003215376.tif 000019
【図１８】
0003215376.tif 000020
【図１９】
0003215376.tif 000021
【図２０】
0003215376.tif 000022
【図２１】
0003215376.tif 000023
【図２２】
0003215376.tif 000024
【図２３】
0003215376.tif 000025
【図２４】
0003215376.tif 000026
【図２５】
0003215376.tif 000027
【図２６】
0003215376.tif 000028
【図２７】
0003215376.tif 000029
【図２８】
0003215376.tif 000030
【図２９】
0003215376.tif 000031